(57)【要約】【課題】結合番組情報をリアルタイムに取得する。【解決手段】デジタル放送受信機１は、１セグ放送を録画する際に、サイマル放送されている１２セグ放送の番組情報も取得する。番組情報結合記録管理部１８は、１２セグ放送の番組情報から１セグ録画コンテンツの番組情報に流用可能で１セグ録画コンテンツの検索、管理に有効となるような情報を取得する。そして、番組情報結合記録管理部１８は、１セグ放送の番組情報と取得した情報とを結合し、結合番組情報を作成する。【選択図】図１
2011114777.tif 000002
【特許請求の範囲】
【請求項１】
サイマル放送による放送信号として、番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部と、
前記受信部が受信した前記第１の放送信号に格納された番組データを記憶する記憶部と、
前記受信部が受信した前記第１の放送信号から前記第１の番組情報を分離し、前記第２の放送信号から前記第２の番組情報を分離する番組情報分離部と、
前記番組情報分離部が分離した前記第１の番組情報と前記第２の番組情報とを結合して結合番組情報を生成し、生成した前記結合番組情報を、前記記憶部に記憶された前記第１の放送信号の前記番組データと対応付けて記憶する結合番組情報生成部と、を備えた、
ことを特徴とする放送受信装置。
【請求項２】
前記結合番組情報生成部は、前記第１の番組情報と、前記第２の番組情報のうちの第１の番組情報とは異なる情報のみと、を結合する、
ことを特徴とする請求項１に記載の放送受信装置。
【請求項３】
前記記憶部が記憶する前記結合番組情報から、各番組データの属性を取得して、取得した属性を分類し、各属性毎に前記番組データのフォルダを作成するフォルダ作成部と、
番組の視聴が選択されたとき、前記結合番組情報を用いて、選択された番組の属性を取得し、取得した属性に基づいて、前記フォルダ作成部が作成した各フォルダを検索し、選択された番組を特定する番組探索部と、を備えた、
ことを特徴とする請求項１又は２に記載の放送受信装置。
【請求項４】
番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部と、
前記第１の放送信号を受信し、前記第１の放送信号に格納されている前記第１の番組情報を取得し、取得した前記第１の番組情報に基づいて、前記第１の放送信号のチャンネルと同一チャンネルの第２の放送信号を受信し、前記第１の番組情報が示す番組と同一の時間帯の番組の第２の番組情報を取得するように前記受信部を制御する受信制御部と、
前記受信部が受信した前記第１の番組情報と前記第２の番組情報とを比較してサイマル放送か否かを判定するサイマル放送判定部と、
前記サイマル放送判定部がサイマル放送と判定したとき、前記受信部が受信した前記第１の番組情報と前記第２の番組情報とを結合して結合番組情報を生成する結合番組情報生成部と、を備えた、
ことを特徴とする放送受信装置。
【請求項５】
サイマル放送による放送信号として、番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置の番組情報取得方法であって、
前記受信部が受信した前記第１の放送信号に格納された番組データを記憶するステップと、
前記受信部が受信した前記第１の放送信号から前記第１の番組情報を分離し、前記第２の放送信号から前記第２の番組情報を分離するステップと、
分離した前記第１の番組情報と前記第２の番組情報とを結合して結合番組情報を生成し、生成した前記結合番組情報を、記憶された前記第１の放送信号の前記番組データと対応付けて記憶するステップと、を備えた、
ことを特徴とする放送受信装置の番組情報取得方法。
【請求項６】
番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置の番組情報取得方法であって、
前記第１の放送信号を受信し、前記第１の放送信号に格納されている前記第１の番組情報を取得し、取得した前記第１の番組情報に基づいて、前記第１の放送信号のチャンネルと同一チャンネルの第２の放送信号を受信し、前記第１の番組情報が示す番組と同一の時間帯の番組の第２の番組情報を取得するように前記受信部を制御するステップと、
前記受信部が受信した前記第１の番組情報と前記第２の番組情報とを比較してサイマル放送か否かを判定するステップと、
サイマル放送と判定したとき、前記受信部が受信した前記第１の番組情報と前記第２の番組情報とを結合して結合番組情報を生成するステップと、を備えた、
ことを特徴とする放送受信装置の番組情報取得方法。
【請求項７】
サイマル放送による放送信号として、番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置のコンピュータに、
前記受信部が受信した前記第１の放送信号に格納された番組データを記憶する手順、
前記受信部が受信した前記第１の放送信号から前記第１の番組情報を分離し、前記第２の放送信号から前記第２の番組情報を分離する手順、
分離した前記第１の番組情報と前記第２の番組情報とを結合して結合番組情報を生成し、生成した前記結合番組情報を、記憶された前記第１の放送信号の前記番組データと対応付けて記憶する手順、
を実行させるためのプログラム。
【請求項８】
番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置のコンピュータに、
前記第１の放送信号を受信し、前記第１の放送信号に格納されている前記第１の番組情報を取得し、取得した前記第１の番組情報に基づいて、前記第１の放送信号のチャンネルと同一チャンネルの第２の放送信号を受信し、前記第１の番組情報が示す番組と同一の時間帯の番組の第２の番組情報を取得するように前記受信部を制御する手順、
前記受信部が受信した前記第１の番組情報と前記第２の番組情報とを比較してサイマル放送か否かを判定する手順、
サイマル放送と判定したとき、前記受信部が受信した前記第１の番組情報と前記第２の番組情報とを結合して結合番組情報を生成する手順、
を実行させるためのプログラム。
【発明の詳細な説明】
【技術分野】
【０００１】
本発明は、放送受信装置、放送受信装置の番組情報取得方法及びプログラムに関するものである。
【背景技術】
【０００２】
地上デジタル放送では、ＭＰＥＧ−２システム（Systems）に沿って、放送データ（信号）が送信される。ＭＰＥＧ−２システムはデジタル放送の多重方式である。
【０００３】
放送局は、ＴＳ(Transport Stream)データを放送信号として送信する。このＴＳデータは、映像・音声・付加データが多重化されてＴＳパケットという固定長のパケットに分割された形で構成されたストリームデータである。
【０００４】
ＴＳパケットは、図１３に示すように、ＴＳヘッダと、アダプテーション・フィールドと、ペイロードとの３つのデータで構成される。ＴＳヘッダには、ＴＳパケットを識別するためのパケットの識別子が定義されている。
【０００５】
アダプテーション・フィールドには、映像・音声などを同期再生するために必要な時刻情報が格納される。そして、ペイロードには、映像・音声・付加データが格納される。
【０００６】
ペイロードに格納されるデータは、大きく分けて、受信装置側で同期再生が必要なデータと、同期再生が不要な付加データと、の２種類のデータに分かれる。
【０００７】
映像データ、音声データ、字幕データ等は、同期再生が必要な前者のデータとして、ＰＥＳ(Packetized Elementary Stream)というデータ形式でＴＳパケットのペイロードに格納される。
【０００８】
ＥＩＴ（Event Information Table：イベント情報テーブル）やデータ放送といったデータは、同期再生が不要なデータであり、セクションというデータ形式でＴＳパケットのペイロードに格納される。
【０００９】
ＥＩＴは、番組表の構成に必要な情報であり、放送データを受信したデジタル放送受信機は、ＴＳパケット内のセクションデータとして格納されたＥＩＴを解析することで番組情報を取得する。
【００１０】
次に、地上デジタル放送では、１つのチャンネルが１３個のセグメントに分割されて伝送されており、１３セグメントのうち、中心の１セグメントを使用した放送が「１セグ（セグメント；segment）放送」、１２セグメントを使用した放送が「１２セグ放送」と呼ばれている。
【００１１】
１２セグ放送では、高品質なデータを伝送できる一方、受信安定性が低いため、例えば、固定受信機向けの放送として利用されている。１セグ放送は、高品質なデータの伝送はできないものの受信安定性が高く、例えば携帯受信機向けの放送として利用されている。
【００１２】
１２セグ放送用、１セグ放送用のＥＩＴは、それぞれ、Ｈ−ＥＩＴ、Ｌ−ＥＩＴと呼ばれる。
【００１３】
Ｈ−ＥＩＴには、８日分の番組情報として、番組のタイトルを始め、概要、詳細説明、放送日時、映像や音声のデータ形式、限定視聴情報やシリーズ情報などの情報が含まれている。
【００１４】
１２セグ放送を受信可能な１２セグ放送受信機は、このＨ−ＥＩＴを用いて、番組探索、録画や視聴の予約、録画コンテンツの管理や検索などの機能を実現し、放送受信機の使い勝手を改善している。
【００１５】
一方、Ｌ−ＥＩＴでは、Ｈ−ＥＩＴよりも情報量が少なく、Ｈ−ＥＩＴに含まれているデータの内、詳細情報やシリーズ情報等、一部含まれていないものがある。
【００１６】
また、Ｌ−ＥＩＴで送出されるイベント数は最大１０イベントであり、放送局は、現在放送されている番組を含めて、それ以降の最大１０番組の番組情報しか送出しない。
【００１７】
このため、１セグ放送だけしか受信できないデジタル放送受信機（以後、「１セグ放送受信機」と記す。）では、このＬ−ＥＩＴの範囲内でしか、コンテンツの管理や検索を行うことができない。
【００１８】
そこで、１セグ放送受信機においても、１２セグ放送受信機と同じようにコンテンツの管理や検索を行えるように、１セグ放送受信機で受信した番組情報と１２セグ放送受信機で受信したＨ−ＥＩＴとを統合するようにしたデジタル放送受信機がある（例えば、特許文献１参照）。
【００１９】
このデジタル放送受信機では、１２セグ放送受信機で取得したＨ−ＥＩＴを記録媒体を介して１セグ放送受信機側の記録装置に記憶させ、あるいはケーブルを用いてＨ−ＥＩＴを取得する。そして、１セグ放送受信機は、両デジタル放送受信機で受信した番組情報を統合するようにしている。
【先行技術文献】
【特許文献】
【００２０】
【特許文献１】特開２００６−４１５８３号公報
【発明の概要】
【発明が解決しようとする課題】
【００２１】
しかし、このような従来のデジタル放送受信機では、記録媒体あるいはケーブルがなければ番組情報を統合することができず、また、人手を介さなければ、番組情報を統合することができない。このため、作業が繁雑になるし、リアルタイムに番組情報を統合することができない。
【００２２】
本発明は、このような従来の問題点に鑑みてなされたもので、結合番組情報をリアルタイムに取得することが可能な放送受信装置、放送受信装置の番組情報取得方法及びプログラムを提供することを目的とする。
【課題を解決するための手段】
【００２３】
この目的を達成するため、本発明の第１の観点に係る放送受信装置は、
サイマル放送による放送信号として、番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部と、
前記受信部が受信した前記第１の放送信号に格納された番組データを記憶する記憶部と、
前記受信部が受信した前記第１の放送信号から前記第１の番組情報を分離し、前記第２の放送信号から前記第２の番組情報を分離する番組情報分離部と、
前記番組情報分離部が分離した前記第１の番組情報と前記第２の番組情報とを結合して結合番組情報を生成し、生成した前記結合番組情報を、前記記憶部に記憶された前記第１の放送信号の前記番組データと対応付けて記憶する結合番組情報生成部と、を備えたことを特徴とする。
【００２４】
前記結合番組情報生成部は、前記第１の番組情報と、前記第２の番組情報のうちの第１の番組情報とは異なる情報のみと、を結合するようにしてもよい。
【００２５】
前記記憶部が記憶する前記結合番組情報から、各番組データの属性を取得して、取得した属性を分類し、各属性毎に前記番組データのフォルダを作成するフォルダ作成部と、
番組の視聴が選択されたとき、前記結合番組情報を用いて、選択された番組の属性を取得し、取得した属性に基づいて、前記フォルダ作成部が作成した各フォルダを検索し、選択された番組を特定する番組探索部と、を備えてもよい。
【００２６】
本発明の第２の観点に係る放送受信装置は、
番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部と、
前記第１の放送信号を受信し、前記第１の放送信号に格納されている前記第１の番組情報を取得し、取得した前記第１の番組情報に基づいて、前記第１の放送信号のチャンネルと同一チャンネルの第２の放送信号を受信し、前記第１の番組情報が示す番組と同一の時間帯の番組の第２の番組情報を取得するように前記受信部を制御する受信制御部と、
前記受信部が受信した前記第１の番組情報と前記第２の番組情報とを比較してサイマル放送か否かを判定するサイマル放送判定部と、
前記サイマル放送判定部がサイマル放送と判定したとき、前記受信部が受信した前記第１の番組情報と前記第２の番組情報とを結合して結合番組情報を生成する結合番組情報生成部と、を備えたことを特徴とする。
【００２７】
本発明の第３の観点に係る放送受信装置の番組情報取得方法は、
サイマル放送による放送信号として、番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置の番組情報取得方法であって、
前記受信部が受信した前記第１の放送信号に格納された番組データを記憶するステップと、
前記受信部が受信した前記第１の放送信号から前記第１の番組情報を分離し、前記第２の放送信号から前記第２の番組情報を分離するステップと、
分離した前記第１の番組情報と前記第２の番組情報とを結合して結合番組情報を生成し、生成した前記結合番組情報を、記憶された前記第１の放送信号の前記番組データと対応付けて記憶するステップと、を備えたことを特徴とする。
【００２８】
本発明の第４の観点に係る放送受信装置の番組情報取得方法は、
番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置の番組情報取得方法であって、
前記第１の放送信号を受信し、前記第１の放送信号に格納されている前記第１の番組情報を取得し、取得した前記第１の番組情報に基づいて、前記第１の放送信号のチャンネルと同一チャンネルの第２の放送信号を受信し、前記第１の番組情報が示す番組と同一の時間帯の番組の第２の番組情報を取得するように前記受信部を制御するステップと、
前記受信部が受信した前記第１の番組情報と前記第２の番組情報とを比較してサイマル放送か否かを判定するステップと、
サイマル放送と判定したとき、前記受信部が受信した前記第１の番組情報と前記第２の番組情報とを結合して結合番組情報を生成するステップと、を備えたことを特徴とする。
【００２９】
本発明の第５の観点に係るプログラムは、
サイマル放送による放送信号として、番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置のコンピュータに、
前記受信部が受信した前記第１の放送信号に格納された番組データを記憶する手順、
前記受信部が受信した前記第１の放送信号から前記第１の番組情報を分離し、前記第２の放送信号から前記第２の番組情報を分離する手順、
分離した前記第１の番組情報と前記第２の番組情報とを結合して結合番組情報を生成し、生成した前記結合番組情報を、記憶された前記第１の放送信号の前記番組データと対応付けて記憶する手順、を実行させるためのものである。
【００３０】
本発明の第６の観点に係るプログラムは、
番組の映像データ及び音声データの少なくとも一方を含む番組データ及び前記番組データに関する第１の番組情報が格納された第１の放送信号と前記番組データ及び前記番組に関して前記第１の番組情報よりも多くの情報を含む第２の番組情報が格納された第２の放送信号とを受信する受信部を備えた放送受信装置のコンピュータに、
前記第１の放送信号を受信し、前記第１の放送信号に格納されている前記第１の番組情報を取得し、取得した前記第１の番組情報に基づいて、前記第１の放送信号のチャンネルと同一チャンネルの第２の放送信号を受信し、前記第１の番組情報が示す番組と同一の時間帯の番組の第２の番組情報を取得するように前記受信部を制御する手順、
前記受信部が受信した前記第１の番組情報と前記第２の番組情報とを比較してサイマル放送か否かを判定する手順、
サイマル放送と判定したとき、前記受信部が受信した前記第１の番組情報と前記第２の番組情報とを結合して結合番組情報を生成する手順、を実行させるためのものである。
【発明の効果】
【００３１】
本発明によれば、結合番組情報をリアルタイムに取得することができる。
【図面の簡単な説明】
【００３２】
【図１】本発明の実施形態１に係るデジタル放送受信機の構成を示すブロック図である。
【図２】図１に示す放送局が備える送信装置の構成を示すブロック図である。
【図３】一例として、図１に示すデジタル放送受信機を備えた携帯電話機の外観を示す図である。
【図４】メニューの各項目を示す図である。
【図５】図１に示す信号分離部の構成を示すブロック図である。
【図６】図１に示す番組探索部が作成するフォルダの構成を示す図である。
【図７】図１に示すデジタル放送受信機が実行する録画処理を示すフローチャートである。
【図８】具体例として、モニタが表示する画面を示す図であり、（ａ）は、キーワード検索の画面を示し、（ｂ）は、番組情報表示画面を示す。
【図９】本発明の実施形態２に係るデジタル放送受信機の構成を示すブロック図である。
【図１０】図９に示すデジタル放送受信機が実行する受信制御処理を示すフローチャートである。
【図１１】図１０に示す受信制御処理の具体的動作を示す図（その１）である。
【図１２】図１０に示す受信制御処理の具体的動作を示す図（その２）である。
【図１３】放送局が送信する放送信号のデータ形式を示す図である。
【発明を実施するための形態】
【００３３】
以下、本発明の実施形態に係る放送受信装置を図面を参照して説明する。尚、本実施形態では、放送受信装置をデジタル放送受信機として説明する。
（実施形態１）
実施形態１に係るデジタル放送受信機１は、放送局２から送信された放送信号を受信するものであり、図１に示すように、アンテナ１１と、受信部１２と、信号分離部１３と、記憶装置１４と、ＡＶデータ再生部１５と、表示処理部１６と、ＡＶデータ記録管理部１７と、番組情報結合記録管理部１８と、番組探索部１９と、を備える。
【００３４】
このデジタル放送受信機１は、番組情報結合記録管理部１８が結合番組情報を作成するときに、１２セグ放送の番組情報も受信し、結合番組情報をリアルタイムで取得できるように構成されたものである。
【００３５】
放送局２は、図２に示すような送信装置２００を備える。送信装置２００は、映像符号化部２０１と、音声符号化部２０２と、付加データ符号化部２０３と、多重化部２０４と、を備える。
【００３６】
映像符号化部２０１は、映像データ（信号）を符号化してＰＥＳデータを作成する。音声符号化部２０２は、音声データ（信号）を符号化してＰＥＳデータを作成する。付加データ符号化部２０３は、Ｈ−ＥＩＴ、Ｌ−ＥＩＴ、データ放送用データ、字幕データ等の付加データを符号化してセクションデータを作成する。
【００３７】
多重化部２０４は、映像符号化部２０１、音声符号化部２０２がそれぞれ作成したＰＥＳデータと、付加データ符号化部２０３が作成したセクションデータと、を図１３に示すようなＴＳパケットにパケット化し、多重化してＴＳデータを生成する。放送局２は、この多重化部２０４が生成したＴＳデータを放送信号として送信する。
【００３８】
デジタル放送受信機１は、例えば、図３に示すような折り畳み式の携帯電話機１０１に備えられる。図１に示すモニタ１１１と、スピーカ１１２と、ユーザ操作部１１３とは、この携帯電話機１０１に備えられたものである。
【００３９】
モニタ１１１は、供給された映像データに基づいて映像を表示するためのものであり、スピーカ１１２は、供給された音声データに基づいて音声の出力を行うものである。モニタ１１１とスピーカ１１２とは、携帯電話機１０１の上部筐体に配置される。
【００４０】
ユーザ操作部１１３は、ユーザの操作情報を受け付けるためのものであり、電源キー１２１と、テンキー１２２と、メニューキー１２３と、カーソルキー１２４と、を備える。
【００４１】
電源キー１２１は、携帯電話機１０１の電源をオン、オフするためのキーである。テンキー１２２は、数値、文字、記号を入力するためのキーである。メニューキー１２３は、例えば、図４に示すようなメニューの項目をモニタ１１１に表示させるためのキーである。
【００４２】
「現放送番組視聴」は、現在放送中の放送番組を視聴するためのメニュー項目であり、「録画」は、録画するためのメニュー項目であり、「検索」は、録画した放送番組を検索するためのメニュー項目である。「番組情報」は、番組情報を表示するためのメニュー項目である。「録画番組視聴」は、録画した１セグ放送の番組を視聴するためのメニュー項目である。
【００４３】
カーソルキー１２４は、メニュー等を選択して選択したメニューを決定するためのキーである。ユーザ操作部１１３は、携帯電話機１０１の下部筐体に配置される。
【００４４】
ユーザ操作部１１３は、ユーザによって電源キー１２１が長押しされる毎に、この操作情報を受け付けて携帯電話機１０１の電源をオン、オフする。また、ユーザ操作部１１３は、ユーザによってテンキー１２２、メニューキー１２３、カーソルキー１２４が操作されたとき、これらの操作情報を受け付け、受け付けた操作情報をデジタル放送受信機１に供給する。
【００４５】
図１に戻り、アンテナ１１と受信部１２とは、サイマル放送による放送信号として、放送局２から送信された１セグ放送、１２セグ放送の放送信号を受信するためのものである。
【００４６】
受信部１２は、アンテナ１１を介して受信した１セグ放送、１２セグ放送の放送信号を復調し、１セグ放送信号の１セグＴＳデータと１２セグ放送信号の１２セグＴＳデータとを生成する。受信部１２は、生成した１セグＴＳデータと１２セグＴＳデータとを信号分離部１３に供給する。
【００４７】
尚、１セグ放送の受信状況が良好であっても、１２セグ放送の受信状況が悪い場合があるので、デジタル放送受信機１は、１セグの受信状況から１２セグ放送の受信状況を推測して、より確実に１２セグ放送の受信可能となるタイミングで１２セグ放送の受信を開始する。このようにすることで、デジタル放送受信機１は、無駄な１２セグ放送の放送データの受信を防止し、消費電力も節減される。
【００４８】
信号分離部１３は、受信部１２から供給された１２セグＴＳデータと１セグＴＳデータとから、それぞれのＰＥＳデータとセクションデータとを多重分離するものであり、図５に示すように、１２セグ信号フィルタ部１３１と、１２セグセクションフィルタ部１３２と、１セグ信号フィルタ部１３３と、１セグセクションフィルタ部１３４と、を備える。
【００４９】
１２セグ信号フィルタ部１３１は、受信部１２から供給された１２セグＴＳデータを１２セグＰＥＳデータと１２セグセクションデータとに多重分離するものである。
【００５０】
１２セグ信号フィルタ部１３１は、図４に示すメニューで「現放送番組視聴」が選択された場合は、分離した１２セグＰＥＳデータをＡＶデータ再生部１５に供給し、「録画」が選択された場合は、分離した１２セグＰＥＳデータをＡＶデータ記録管理部１７に供給する。
【００５１】
また、１２セグ信号フィルタ部１３１は、分離した１２セグセクションデータを１２セグセクションフィルタ部１３２に送出する。
【００５２】
１２セグセクションフィルタ部１３２は、送出された１２セグセクションデータから、Ｈ−ＥＩＴ、データ放送用データ又は字幕データを分離するものである。
【００５３】
１２セグセクションフィルタ部１３２は、Ｈ−ＥＩＴを番組情報結合記録管理部１８に供給し、データ放送用データ又は字幕データを表示処理部１６に供給する。
【００５４】
１セグ信号フィルタ部１３３は、受信部１２から供給された１セグＴＳデータを１セグＰＥＳデータと１セグセクションデータとに多重分離するものである。
【００５５】
１セグ信号フィルタ部１３３は、図４に示すメニューで「現放送番組視聴」が選択された場合は、分離した１セグＰＥＳデータをＡＶデータ再生部１５に供給し、「録画」が選択された場合は、分離した１セグＰＥＳデータをＡＶデータ記録管理部１７に供給する。
【００５６】
また、１セグ信号フィルタ部１３３は、分離した１セグセクションデータを１セグセクションフィルタ部１３４に送出する。
【００５７】
１セグセクションフィルタ部１３４は、送出された１セグセクションデータから、Ｌ−ＥＩＴ、データ放送用データ又は字幕データを分離するものである。
【００５８】
１セグセクションフィルタ部１３４は、分離したＬ−ＥＩＴを番組情報結合記録管理部１８に供給し、データ放送用データ又は字幕データを表示処理部１６に供給する。
【００５９】
記憶装置１４は、映像データ、音声データ、デジタル放送受信機１、携帯電話機１０１を動作させるためのプログラムデータ等、各種データを記憶するためのものである。尚、記憶装置１４は、各種データとして、図４に示すメニューのデータを記憶する。記憶装置１４には、例えば、ＥＥＰＲＯＭ（Electrically Erasable Programmable Read Only Memory）等の不揮発性メモリが用いられる。
【００６０】
ＡＶデータ再生部１５は、１２セグＰＥＳデータまたは１セグＰＥＳデータに格納されている映像データ、音声データに対し、データ形式に応じたデコード処理を行ってＡＶデータ（映像データ、音声データ）を再生するものである。
【００６１】
図４に示すメニューで「現放送番組視聴」が選択された場合、ＡＶデータ再生部１５には、信号分離部１３から１２セグＰＥＳデータ又は１セグＰＥＳデータが供給される。また、「録画」が選択された場合、ＡＶデータ再生部１５は、記憶装置１４から、１２セグＰＥＳデータ又は１セグＰＥＳデータを取得する。
【００６２】
ＡＶデータ再生部１５は、この１２セグＰＥＳデータ又は１セグＰＥＳデータに対し、デコード処理を行って再生した映像データを表示処理部１６に送出し、音声データをスピーカ１１２に送出する。
【００６３】
表示処理部１６は、信号分離部１３から供給されたデータ放送用データ又は字幕データ、あるいは、ＡＶデータ再生部１５から送出された映像データに対する表示用のデコード処理等を行い、モニタ１１１に映像データを供給するものである。
【００６４】
表示処理部１６は、信号分離部１３から供給されたデータ用放送データ又は字幕データを解析し、このデータとＡＶデータ再生部１５から供給されたデコード済みの映像データとを合成して画面構成を行う。そして、表示処理部１６は、画面構成された映像データをモニタ１１１に供給する。
【００６５】
ＡＶデータ記録管理部１７は、信号分離部１３から、録画する番組の１２セグＰＥＳデータ又は１セグＰＥＳデータが供給され、供給されたデータに対して処理を行って記憶装置１４に記憶するものである。
【００６６】
ＡＶデータ記録管理部１７は、１２セグＰＥＳデータ又は１セグＰＥＳデータに格納された映像データの解像度、音声データのサンプリング周波数を変更し、映像データ、音声データを受信時の形式とは別の形式にエンコードする。
【００６７】
また、ＡＶデータ記録管理部１７は、記憶装置１４への保存に必要な著作権保護のための暗号化処理等を行う。そして、ＡＶデータ記録管理部１７は、これらの処理を行った映像データ、音声データを録画コンテンツとして１２セグＰＥＳデータ又は１セグＰＥＳデータの形式で記憶装置１４に保存する。
【００６８】
番組情報結合記録管理部１８は、１セグ放送と１２セグ放送とがサイマル放送である場合に、１２セグ放送の番組情報と１セグ放送の番組情報とを結合して結合番組情報を作成するものである。
【００６９】
番組情報結合記録管理部１８は、１２セグ放送と１セグ放送とがサイマル放送か否かを、信号分離部１３から供給された１２セグ放送の番組情報と１セグ放送の番組情報とに基づいて判定する。
【００７０】
この判定方法としては、種々の方法がある。例えば、第１の方法は、１２セグ放送の番組情報、１セグ放送の番組情報内のテキストデータで記述されたタイトルデータ、番組の出演者等を比較する方法である。
【００７１】
番組情報結合記録管理部１８は、タイトルデータが一致するか、番組の出演者等が一致すればサイマル放送であり、不一致であればサイマル放送ではないと判定する。
【００７２】
第２の方法は、１セグ放送と１２セグ放送との両映像データの画像を解析するか、あるいは両音声データを解析して、その解析結果を比較する方法である。番組情報結合記録管理部１８は、解析結果が一致すれば、サイマル放送であり、不一致であればサイマル放送ではないと判定する。
【００７３】
番組情報結合記録管理部１８は、保存する番組情報の情報量を抑えるため、１２セグ放送の番組情報のうち、１セグ放送の番組情報とは異なる情報であって１２セグ放送に特化した情報を省き、１セグ放送で録画した１セグ録画コンテンツの検索、管理に有効となるような情報を１セグ放送の番組情報に結合する。
【００７４】
１セグ録画コンテンツの検索、管理に有効となるような情報としては、例えば、番組配列情報標準規格ARIB STD-B10に規定されている「拡張形式イベント記述子」、「シリーズ記述子」等がある。
【００７５】
番組配列情報標準規格ARIB STD-B10は、社団法人電波産業会のデジタル放送に使用される規格である。また、「拡張形式イベント記述子」は、番組の詳細情報を示す情報であり、「シリーズ記述子」は、シリーズ番組の識別に用いられる情報である。
【００７６】
本実施形態では、番組情報結合記録管理部１８は、１セグ放送のＬ−ＥＩＴに記述されている番組情報と、この１２セグ放送の「拡張形式イベント記述子」、「シリーズ記述子」と、を結合するものとする。
【００７７】
但し、番組情報結合記録管理部１８は、すべて１セグ放送の番組情報と１２放送の番組情報全てを結合してもよい。
【００７８】
番組情報結合記録管理部１８は、１セグ録画コンテンツと結合番組情報とを対応付けて記憶装置１４に保存する。
【００７９】
１セグ録画コンテンツと結合番組情報とを対応付けて保存する方法としては、例えば、１２セグ録画コンテンツと結合番組情報とをMPEG2-TSに再多重化して、ＴＳデータとして保存する方法がある。
【００８０】
別の方法としては、結合番組情報に録画コンテンツのファイル名等を記載する方法がある。この場合、結合番組情報を参照すれば、１セグ録画コンテンツのファイルを特定できる。
【００８１】
番組情報結合記録管理部１８は、このように１セグ録画コンテンツと結合番組情報とを対応付けて記憶装置１４に保存し、結合番組情報を用いて１セグ録画コンテンツの管理をする。
【００８２】
番組探索部１９は、EPG(Electronic Program Guide)をモニタ１１１に表示させ、録画した番組データのリストを用いてユーザの所望のコンテンツ探索を行うものである。
【００８３】
番組探索部１９は、コンテンツ探索を容易とするため、結合番組情報に含まれる属性を分類し、さらに階層化して各属性毎に１セグ録画コンテンツのフォルダを作成する。
【００８４】
例えば、番組探索部１９は、図６に示すように、ルートポイントＰ０を最上位のフォルダ階層として、属性を「出演者」、「監督」、「シリーズ」に分類し、これらの属性を含む大分類フォルダＦ１１を作成する。
【００８５】
次に、番組探索部１９は、大分類フォルダＦ１１の属性「出演者」を属性「役者Ａ」、「役者Ｂ」に細分化し、この属性「役者Ａ」、「役者Ｂ」を含む小分類フォルダＦ２１を作成する。
【００８６】
そして、番組探索部１９は、この小分類フォルダＦ２１に分類された属性「役者Ａ」をフォルダ化し、結合番組情報を参照して、役者Ａが出演している１セグ録画コンテンツとしての役者Ａ出演コンテンツ１，２，・・・，５をこのフォルダに配置する。
【００８７】
番組探索部１９は、同様に、小分類フォルダＦ２１に分類された属性「役者Ｂ」をフォルダ化し、結合番組情報を参照して、役者Ｂが出演している１セグ録画コンテンツをこのフォルダに配置する。
【００８８】
さらに、番組探索部１９は、大分類フォルダＦ１１の属性「監督」を細分化した属性「監督Ａ」、「監督Ｂ」を含む小分類フォルダＦ２２を作成し、大分類フォルダＦ１１の属性「シリーズ」を細分化した属性「ドラマＡ」、「ドラマＢ」を含む小分類フォルダＦ２３を作成する。そして、番組探索部１９は、小分類フォルダＦ２２，Ｆ２３の各フォルダに、１セグ録画コンテンツを配置する。
【００８９】
このように結合番組情報に含まれる属性を分類し、さらに階層化して各属性毎に１セグ録画コンテンツのフォルダを作成することにより、１セグ録画コンテンツの多様な分類が可能となり、膨大な数の１セグ録画コンテンツが記録された場合でも、コンテンツの探索が容易となる。
【００９０】
このような構成のフォルダを作成した後、ユーザ操作部１１３から「検索」の操作情報が供給されると、番組探索部１９は、結合番組情報を用いて、ユーザが選択した１セグ録画コンテンツの属性を取得し、取得した属性に基づいて、作成した各フォルダを検索する。そして、番組探索部１９は、この１セグ録画コンテンツを特定する。
【００９１】
番組探索部１９は、１セグ録画コンテンツを特定すると、記憶装置１４の予め確保された検索結果格納領域に、特定した１セグ録画コンテンツの格納場所を示すデータを格納する。
【００９２】
次に実施形態１に係るデジタルデータ受信機１の動作を説明する。
ユーザが、電源オフのときに、ユーザ操作部１１３の電源キー１２１を長押しすると、ユーザ操作部１１３は、この操作情報を受け付けて、携帯電話機１０１は、電源をオンする。即ち、携帯電話機１０１は、デジタル放送受信機１及び各部に電圧を印加して駆動電流を供給する。デジタル放送受信機１は、駆動電流が供給されて動作を開始する。
【００９３】
ユーザがユーザ操作部１１３のメニューキー１２３、カーソルキー１２４を操作して図４に示す「現放送番組視聴」を選択すると、ユーザ操作部１１３は、この操作情報を受け付けてデジタル放送受信機１に供給する。
【００９４】
デジタル放送受信機１に、この操作情報が供給されると、受信部１２は、アンテナ１１を介して受信した放送信号を復調し、生成した１２セグＴＳデータと１セグＴＳデータとを信号分離部１３に供給する。
【００９５】
信号分離部１３は、受信部１２から供給された１２セグＴＳデータと１セグＴＳデータとから、それぞれの１２セグＰＥＳデータ又は１セグＰＥＳデータと、セクションデータと、を多重分離する。
【００９６】
セクションデータにデータ放送用データが含まれている場合、信号分離部１３は、データ放送用データを表示処理部１６に供給する。表示処理部１６は、供給されたデータ放送用データをモニタ１１１に供給し、モニタ１１１は、供給されたデータ放送用データに基づいてデータ放送の画面表示を行う。
【００９７】
１２セグＰＥＳデータ又は１セグＰＥＳデータの場合、信号分離部１３は、分離した１２セグＰＥＳデータ又は１セグデータをＡＶデータ再生部１５に供給する。
【００９８】
ＡＶデータ再生部１５は、１２セグＰＥＳデータまたは１セグＰＥＳデータに格納されている映像・音声等のデータに対し、再生した映像データを表示処理部１６に送出し、音声データをスピーカ１１２に送出する。
【００９９】
表示処理部１６は、表示用にデコード処理等を行った映像データをモニタ１１１に送出し、モニタ１１１は、送出された映像データに基づいた映像を表示し、スピーカ１１２は、供給された音声データに基づいた音声を出力する。
【０１００】
ユーザがユーザ操作部１１３のメニューキー１２３、カーソルキー１２４を操作して図４に示す「録画」を選択すると、ユーザ操作部１１３は、この操作情報をデジタル放送受信機１に供給する。
【０１０１】
デジタル放送受信機１は、この操作情報が供給されると、記憶装置１４から、プログラムデータを読み出して、図７に示すフローチャートに従って、録画処理を実行する。
【０１０２】
デジタル放送受信機１は、１セグ放送の録画を開始する（ステップＳ１１）。受信部１２は、アンテナ１１を介して１セグ放送の放送信号を受信して復調し、生成した１セグＴＳデータを信号分離部１３に供給する。
【０１０３】
信号分離部１３は、受信部１２から供給された１セグＴＳデータから１セグＰＥＳデータと１セグセクションデータとを多重分離し、分離した１セグＰＥＳデータをＡＶデータ記録管理部１７に供給する。
【０１０４】
ＡＶデータ記録管理部１７は、供給された信号分離部１３から供給された１セグＰＥＳデータを記憶装置１４に記憶する。
【０１０５】
また、信号分離部１３は、１セグセクションデータから取得したＬ−ＥＩＴを番組情報結合記録管理部１８に供給する。番組情報結合記録管理部１８は、１セグ放送の番組情報としてＬ−ＥＩＴを蓄積し、その中から録画中の番組に関する情報を抽出する。
【０１０６】
デジタル放送受信機１は、１セグ放送と同じチャンネルの１２セグ放送の受信を開始する（ステップＳ１２）。受信部１２は、同様に、１２セグ放送の放送信号を復調し、生成した１２セグＴＳデータを信号分離部１３に供給する。
【０１０７】
信号分離部１３は、受信部１２から供給された１２セグＴＳデータから１２セグＰＥＳデータと１２セグセクションデータとを多重分離し、分離した１２セグＰＥＳデータをＡＶデータ記録管理部１７に供給する。
【０１０８】
ＡＶデータ記録管理部１７は、供給された信号分離部１３から供給された１２セグＰＥＳデータを記憶装置１４に記憶する。
【０１０９】
また、信号分離部１３は、１２セグセクションデータから分離したＨ−ＥＩＴを番組情報結合記録管理部１８に供給する。番組情報結合記録管理部１８は、１２セグ放送の番組情報としてＨ−ＥＩＴを蓄積し、その中から録画中の番組に関する情報を取得する（ステップＳ１３）。
【０１１０】
デジタル放送受信機１は、番組情報結合記録管理部１８が番組情報を取得すると、１２セグ放送の受信を停止する。
【０１１１】
番組情報結合記録管理部１８は、前述の判定方法に従い、１セグ放送と１２セグ放送がサイマル放送であるか否かを判定する（ステップＳ１４）。
【０１１２】
サイマル放送の場合（ステップＳ１４；Ｙｅｓ）、番組情報結合記録管理部１８は、１セグ放送の番組情報と１２セグ放送の番組情報とを結合して結合番組情報を生成する（ステップＳ１５）。
【０１１３】
番組情報結合記録管理部１８は、生成した結合番組情報を記憶装置１４に保存し（ステップＳ１６）、デジタル放送受信機１は、この録画処理を終了させる。
【０１１４】
一方、サイマル放送でない場合（ステップＳ１４；Ｎｏ）、デジタル放送受信機１は、１セグ放送の番組情報と１２セグ放送の番組情報とを結合せずに、この録画処理を終了させる。
【０１１５】
番組探索部１９は、このような録画処理が終了すると、図６に示すような１セグ録画コンテンツのフォルダを作成する。
【０１１６】
次に、ユーザがユーザ操作部１１３のメニューキー１２３、カーソルキー１２４を操作して図４に示す「検索」を選択すると、ユーザ操作部１１３は、この操作情報を受け付けてデジタル放送受信機１に供給する。
【０１１７】
デジタル放送受信機１にこの操作情報が供給されると、モニタ１１１は、例えば、図８（ａ）に示すようなキーワード検索用の画面を表示する。
【０１１８】
ユーザがユーザ操作部１１３のテンキー１２２、カーソルキー１２４を操作して、検索キーワード入力欄にキーワード「役者Ａ」を入力して、この欄の右に表示された「検索」を選択すると、ユーザ操作部１１３は、この操作情報を受け付けてデジタル放送受信機１に供給する。
【０１１９】
デジタル放送受信機１にこの操作情報が供給されると、番組探索部１９は、ユーザが入力したキーワード「役者Ａ」に従って、記憶装置１４に格納されている結合番組情報の中から、入力キーワードが含まれているコンテンツを検索する。
【０１２０】
「役者Ａ」は、図６に示すようなフォルダ構成において、小分類フォルダＦ２１に配置され、「役者Ａ」のフォルダに、「役者Ａ出演コンテンツ１」〜「役者Ａ出演コンテンツ５」が配置されている。
【０１２１】
番組探索部１９は、検索の結果、「役者Ａ出演コンテンツ１」〜「役者Ａ出演コンテンツ５」を特定し、記憶装置１４に予め確保された検索結果格納領域に、この１セグ録画コンテンツ「役者Ａ出演コンテンツ１」〜「役者Ａ出演コンテンツ５」の格納場所を示すデータを格納する。
【０１２２】
また、モニタ１１１は、図８（ａ）に示すように、検索したコンテンツのタイトル一覧として、検索結果表示欄に「役者Ａ出演コンテンツ１」〜「役者Ａ出演コンテンツ５」を表示し、その下にヒット件数を表示する。また、モニタ１１１は、ヒットした各コンテンツに、番組情報の項目をモニタ１１１に表示する。
【０１２３】
ユーザが、このタイトル一覧を参照し、ユーザ操作部１１３のカーソルキー１２４を操作して、「役者Ａ出演コンテンツ１」の「番組情報」を選択すると、ユーザ操作部１１３は、この操作情報を受け付けてデジタル放送受信機１に供給する。
【０１２４】
デジタル放送受信機１にこの操作情報が供給されると、モニタ１１１は、図８（ｂ）に示すような「役者Ａ出演コンテンツ１」の結合番組情報を表示する。
【０１２５】
この番組情報には、番組のタイトル、概要、放送日時、映像・音声のデータ形式、限定視聴情報、詳細情報、シリーズ情報が含まれている。この詳細情報、シリーズ情報は、１２セグ放送のＨ−ＥＩＴにのみ記述されている番組情報である。
【０１２６】
ユーザがユーザ操作部１１３のカーソルキー１２４を操作して「戻る」を選択すると、モニタ１１１は、再び、図８（ａ）に示すキーワード検索用の画面を表示する。
【０１２７】
ユーザがユーザ操作部１１３のカーソルキー１２４を操作して、「役者Ａ出演コンテンツ１」を選択し、図４に示す「録画番組視聴」を選択すると、ユーザ操作部１１３は、この操作情報を受け付けてデジタル放送受信機１に供給する。
【０１２８】
デジタル放送受信機１にこの操作情報が供給されると、番組探索部１９は、記憶装置１４に予め確保された検索結果格納領域に、特定した１セグ録画コンテンツ「役者Ａ出演コンテンツ１」の格納場所を示すデータを格納する。
【０１２９】
ＡＶデータ再生部１５は、検索結果格納領域から、１セグ録画コンテンツ「役者Ａ出演コンテンツ１」の格納場所を示すデータを取得し、取得したデータに基づいて、記憶装置１４から１セグ録画コンテンツ「役者Ａ出演コンテンツ１」を取得する。
【０１３０】
ＡＶデータ再生部１５は、取得した「役者Ａ出演コンテンツ１」のデコード処理を行って表示処理部１６に供給し、表示処理部１６は、映像データをモニタ１１１に供給し、音声データをスピーカ１１２に供給する。
【０１３１】
モニタ１１１は、供給された映像データに基づいて、この「役者Ａ出演コンテンツ１」の映像を表示し、スピーカ１１２は、供給された音声データに基づいて、この音声を出力する。
【０１３２】
以上説明したように、本実施形態１によれば、番組情報結合記録管理部１８が結合番組情報を作成するときに、１２セグ放送の番組情報も受信するようにした。
【０１３３】
従って、より詳細な番組情報をリアルタイムに、しかも容易に取得することができる。
【０１３４】
また、１セグ放送を録画する際に、サイマル放送されている１２セグ放送の番組情報を取得し、その番組情報から１セグ録画コンテンツの番組情報に流用可能な項目を抜粋して、１セグ放送の番組情報と結合し、結合番組情報を作成するようにした。
【０１３５】
このように、１２セグ放送の番組情報から１２セグ放送に特化した情報を省くことにより、記憶装置１４に保存する番組情報の量を抑えることもできる。
【０１３６】
（実施形態２）
実施形態２に係るデジタル放送受信機は、１２セグ放送の番組情報を、１セグ放送の録画を開始する前に取得して、結合番組情報を作成するようにしたものである。
【０１３７】
特に、複数番組が録画予約されている場合、このように、１セグ放送の録画開始前に、同じチャンネル、同じ時間帯の１２セグ放送の番組情報を取得することによって、１２セグ放送の番組情報を一括して取得できる。
【０１３８】
また、録画予約した番組情報に限らず、事前に１２セグ放送の番組を取得しておくことにより、放送予定の番組探索に取得した情報を活用できる。
【０１３９】
実施形態２に係るデジタル放送受信機１は、図９に示すように、番組情報受信制御部２０を備える。
【０１４０】
番組情報受信制御部２０は、１２セグ放送の各チャンネルに配信されている番組情報を収集するためにデジタル放送受信機１の制御を行うものである。
【０１４１】
次に実施形態２に係るデジタル放送受信機１の動作を説明する。
ユーザがユーザ操作部１１３のメニューキー１２３、カーソルキー１２４を操作して、図４に示す「録画」を選択すると、ユーザ操作部１１３は、この操作情報を受け付けてデジタル放送受信機１に供給する。
【０１４２】
デジタル放送受信機１にこの操作情報が供給されると、番組情報受信制御部２０は、記憶装置１４から受信制御処理のプログラムデータを読み出し、図１０に示すフローチャートに従い、この処理を実行する。
【０１４３】
番組情報受信制御部２０は、記憶装置１４から１セグ放送向け番組一覧（情報）を取得する（ステップＳ２１）。
【０１４４】
番組情報受信制御部２０は、取得した１セグ放送向け番組一覧から、ユーザによって録画予約された番組の一覧を示す予約チャンネルリストを作成する（ステップＳ２２）。
【０１４５】
番組情報受信制御部２０は、予約チャンネルリストを作成すると、１２セグ放送の受信を開始するように受信部１２を制御する（ステップＳ２３）。
【０１４６】
このとき、番組情報受信制御部２０は、１２セグ放送の受信チャンネルを、予約チャンネルリストに登録されたチャンネルに設定する（ステップＳ２４）。
【０１４７】
番組情報結合記録管理部１８は、設定されたチャンネルの１セグ放送の番組に対応する同じ時間帯の１２セグ放送の番組情報を取得する（ステップＳ２５）。
【０１４８】
番組情報受信制御部２０は、取得した番組情報に記載されている番組と１セグで録画予約された番組とがサイマル放送の番組か否かを判定する（ステップＳ２６）。
【０１４９】
判定の結果、サイマル放送であった場合（ステップＳ２６；Ｙｅｓ）、番組情報結合記録管理部１８は、１セグ放送の番組情報と１２セグ放送の番組情報とを結合して結合番組情報を生成する（ステップＳ２７）。
【０１５０】
番組情報受信制御部２０は、生成した結合番組情報を記憶装置１４に保存し、保存した旨の情報を予約チャンネルリストに登録する（ステップＳ２８）。
【０１５１】
番組情報を保存した場合、あるいは、判定の結果、サイマル放送ではなかった場合（ステップＳ２６；Ｎｏ）、番組情報受信制御部２０は、予約チャンネルリストを参照し、１セグ番組に対応する１２セグ番組の番組情報が未取得か否かを判定する（ステップＳ２９）。
【０１５２】
１セグ番組に対応する１２セグ番組の番組情報が未取得の場合（ステップＳ２９；Ｙｅｓ）、番組情報受信制御部２０は、１２セグ放送の受信チャンネルを、１セグ番組に対応する番組情報が未取得のチャンネルに切り替える（ステップＳ３０）。そして、番組情報受信制御部２０は、再度、ステップＳ２５〜Ｓ２８を実行する。
【０１５３】
１セグ番組に対応する１２セグ番組の番組情報をすべて取得した場合（ステップＳ２９；Ｎｏ）、番組情報受信制御部２０は、この受信制御処理を終了させる。
【０１５４】
この受信制御処理を具体的に説明する。
番組情報受信制御部２０は、図１１に示すような１セグ放送向けの番組情報を記憶装置１４から取得すると（ステップＳ２１）、図１２（ａ）に示すような予約チャンネルリストを作成する（ステップＳ２２）。そして、受信部１２は、１２セグ放送の受信を開始する（ステップＳ２３）。
【０１５５】
予約チャンネルリストには、最初に１セグ番組Ａが登録されているため、番組情報受信制御部２０は、１２セグ放送の受信チャンネルを、この１セグ番組Ａが放送されるチャンネルＣＨ１に設定する（ステップＳ２４）。
【０１５６】
１２セグ放送で放送予定の番組情報が、図１１に示すような番組情報である場合、デジタル放送受信機１は、１セグ放送で録画予約している１セグ番組Ａに対応する同じ時間帯の１２セグ放送の１２セグ番組Ａの番組情報を受信する。そして、番組情報結合記録管理部１８は、この１２セグ番組Ａの番組情報を取得する（ステップＳ２５）。
【０１５７】
この１セグ番組Ａと１２セグ番組Ａとがサイマル放送の番組である場合（ステップＳ２６；Ｙｅｓ）、番組情報結合記録管理部１８は、１セグ番組Ａと１２セグ番組Ａとの結合番組情報を生成する（ステップＳ２７）。
【０１５８】
番組情報結合記録管理部１８は、生成した１セグ番組Ａの結合番組情報を記憶装置１４に保存し、図１２（ａ）に示すように、保存した旨の情報「保存」を予約チャンネルリストに登録する（ステップＳ２８）。
【０１５９】
番組情報受信制御部２０が予約チャンネルリストを参照すると、図１２（ａ）に示すように、１セグ番組Ｂ，Ｃに対応する１２セグ番組の番組情報が未取得である（ステップＳ２９；Ｙｅｓ）。
【０１６０】
このため、番組情報受信制御部２０は、１２セグ放送の受信チャンネルを、この１セグ番組Ｂが放送されるチャンネルＣＨ３に設定し（ステップＳ３０）、デジタル放送受信機１は、このチャンネルＣＨ３の１セグ番組Ｂに対応する同じ時間帯の１２セグ番組Ｄの番組情報を受信する。
【０１６１】
この１セグ番組Ｂと１２セグ番組Ｄとはサイマル放送の番組ではないため（ステップＳ２６；Ｎｏ）、番組情報受信制御部２０は、図１２（ｂ）に示すように、１２セグ番組Ｄの番組情報を取得しない。
【０１６２】
次に、番組情報受信制御部２０が予約チャンネルリストを参照すると、図１２（ｂ）に示すように、１セグ番組Ｃに対応する１２セグ番組の番組情報が未取得である（ステップＳ２９；Ｙｅｓ）。
【０１６３】
このため、番組情報受信制御部２０は、１２セグ放送の受信チャンネルを、この１セグ番組Ｃが放送されるチャンネルＣＨ２に設定し（ステップＳ３０）、デジタル放送受信機１は、このチャンネルＣＨ２の１セグ番組Ｃに対応する同じ時間帯の１２セグ番組Ｃの番組情報を受信する。
【０１６４】
この１セグ番組Ｃと１２セグ番組Ｃとがサイマル放送の番組である場合（ステップＳ２６；Ｙｅｓ）、番組情報結合記録管理部１８は、１セグ番組Ｃと１２セグ番組Ｃとの結合番組情報を生成する（ステップＳ２７）。
【０１６５】
番組情報結合記録管理部１８は、生成した１セグ番組Ｃの結合番組情報を記憶装置１４に保存し、図１２（ｃ）に示すように、保存した旨の情報「保存」を予約チャンネルリストに登録する（ステップＳ２８）。
【０１６６】
次に、番組情報受信制御部２０が予約チャンネルリストを参照すると、１セグ放送に対応する１２セグ番組の番組情報をすべて取得している（ステップＳ２９；Ｎｏ）。このため、番組情報受信制御部２０は、この受信制御処理を終了させる。
【０１６７】
このように番組情報受信制御部２０が、この受信制御処理を実行した後、デジタル放送受信機１は、それぞれ、予約時間6:00〜7:00に１セグ番組Ａを、予約時間7:00〜8:30に１セグ番組Ｂを、予約時間9:00〜11:00に１セグ番組Ｃを録画する。
【０１６８】
ユーザが、ユーザ操作部１１３のメニューキー１２３、カーソルキー１２４を操作して、例えば、予約チャンネルリストの１セグ番組Ａを選択すると、ユーザ操作部１１３は、この操作情報をデジタル放送受信機１に供給する。
【０１６９】
デジタル放送受信機１の番組探索部１９は、記憶装置１４から１２セグ番組Ａの番組情報を読み出す。そして、モニタ１１１は、番組のタイトル、概要、詳細説明、放送日時、映像や音声のデータ形式、限定視聴情報、シリーズ情報等の情報を表示する。
【０１７０】
以上説明したように、本実施形態２によれば、１２セグ放送の番組情報を、１セグ放送の録画を開始する前に取得して、結合番組情報を作成するようにした。
【０１７１】
従って、特に、同じチャンネルの複数番組が録画予約されている場合、１２セグ放送の番組情報を一括して取得できる。
【０１７２】
そして、実施形態１と同様に、より細かい分類やキーワードによるコンテンツの管理や検索を行える。
【０１７３】
さらに、録画予約した番組情報以外の番組情報を収集しておくこともでき、取得した情報を、放送予定の番組探索に活用することができる。
【０１７４】
尚、本発明を実施するにあたっては、種々の形態が考えられ、上記実施形態に限られるものではない。
例えば、上記実施形態では、放送受信装置を携帯電話機１０１に適用した場合について説明した。しかし、携帯電話機１０１に適用する場合に限らず、携帯テレビジョン、ＰＤＡ（Personal Digital Assistance；携帯情報端末）、カーナビゲーション装置等に適用することもできる。
【０１７５】
上記実施形態では、１セグ放送、１２セグ放送の放送信号に映像データと音声データとが格納されているものとして説明した。しかし、映像データ及び音声データの少なくとも一方が格納されていればよい。
【０１７６】
また、上記実施形態では、プログラムが、それぞれメモリ等に予め記憶されているものとして説明した。しかし、放送受信装置を、装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。
【０１７７】
さらに、インターネット上のサーバ装置が有するディスク装置等にプログラムを格納しておき、例えば、搬送波に重畳させて、コンピュータにダウンロード等するものとしてもよい。
【符号の説明】
【０１７８】
１  デジタル放送受信機
１１  アンテナ
１２  受信部
１８  番組情報結合記録管理部
１９  番組探索部
２０  番組情報受信制御部
【図１】
2011114777.tif 000003
【図２】
2011114777.tif 000004
【図３】
2011114777.tif 000005
【図４】
2011114777.tif 000006
【図５】
2011114777.tif 000007
【図６】
2011114777.tif 000008
【図７】
2011114777.tif 000009
【図８】
2011114777.tif 000010
【図９】
2011114777.tif 000011
【図１０】
2011114777.tif 000012
【図１１】
2011114777.tif 000013
【図１２】
2011114777.tif 000014
【図１３】
2011114777.tif 000015